【事件の表示】
　特許第２７２１３３８号「データ受信装置」の特許に対する特許異議の申立てについて、次のとおり決定する。
【結論】
　訂正を認める。
　特許第２７２１３３８号の特許を維持する。
【理由】
Ｉ　手続の経緯
　本件特許に関する手続の経緯は次のとおりである。
特許出願　　　　　　　昭和６０年１２月１９日
特許権設定登録　　　　平成　９年１１月２１日
特許異議の申立　　　　平成１０年　９月　４日
第１回取消理由通知　　平成１１年　１月２０日
第１回訂正請求　　　　平成１１年　４月１３日
第１回訂正拒絶理由通知平成１１年　６月　３日
第１回手続補正　　　　平成１１年　７月２６日
第２回訂正拒絶理由通知平成１１年　９月１４日
第２回取消理由通知　　平成１１年　９月１４日
第２回訂正請求　　　　平成１１年　９月１４日
第１回訂正請求取下　　平成１１年　９月１４日
ＩＩ　訂正請求の適否についての判断
１．訂正請求の内容
　上記第２回訂正請求（以下単に訂正請求という）は、訂正請求書の「訂正の要旨」に記載されるとおりの訂正事項ａに係る訂正を求めるものである。
２．訂正の目的の適否、明細書記載事項からの逸脱及び拡張・変更の存否
（１）上記訂正事項ａは、特許請求の範囲において、
▲１▼「通知手段」、「記録手段」、「認識手段」「第２判定手段」、「第２識別手段」の各手段を付加し、
▲２▼特許請求の範囲記載の、受信データを着脱可能な記憶媒体に記憶する条件に、「上記認識手段により受信データが秘匿性の受信データであることが認識されたとき」との条件を加えると共に、同条件のもとで「受信データが上記記憶媒体に記憶できないならば、上記通知手段に上記通知を行わせ」るとの限定事項を付加し、更に「一方、上記認識手段により受信データが秘匿性の受信データではないことが認識されたとき、上記第２識別手段の識別結果に基づいて、上記着脱可能な記憶媒体が装着されていることが検出され、かつ、上記受信データが上記記憶媒体へ記憶できるならば、上記受信手段で受信された受信データを上記着脱可能な記憶媒体に記憶し、上記受信データが上記記憶媒体へ記憶できないならば、上記記録手段に受信データの記録を行わせる」との限定事項を付加し、
▲３▼上記▲１▼の「第２判定手段」、「第２識別手段」の付加に伴い、特許請求の範囲記載の「判定手段」、「識別手段」をそれぞれ「第１判定手段」、「第１識別手段」として区別を明瞭化し、
かつ、上記特許請求の範囲の訂正に整合するよう明細書中の［目的］、［効果］の各項の記載を訂正して明瞭化するものであるから、上記訂正事項ａは特許請求の範囲の減縮、および明瞭でない記載の釈明を目的とする訂正に該当する。
（２）また、上記訂正事項ａは、明細書第１２頁１８行〜第１６頁１６行（特許公報第６欄２２行〜第７欄３６行）における第５図のフローチャートの説明から明らかな事項であるから、明細書又は図面の記載範囲内のもので、実質的に特許請求の範囲を拡張、変更するものでもない。
３．独立特許要件の判断
（１）訂正後の特許請求の範囲に係る発明（以下本件発明という）は、訂正明細書の特許請求の範囲に記載されるとおりのデータ受信装置であるところ、同装置は、基本的に、着脱可能な記憶媒体への受信データの記憶を可能とするものであって、その記憶に先立ち、上記記憶媒体の装着とその記憶容量の確認を行って記憶可能なときに受信データの記憶を行うようにしたものといえるが、更に、受信データが秘匿性のものであるか否かも認識し、秘匿性のものである場合には、その記憶媒体への記憶が可能であれば記憶を行い、可能でなければ記憶できない旨の通知を行い、受信データが秘匿性のものでない場合には、その記憶媒体への記憶が可能であれば記憶を行い、可能でなければ記録紙への記録を行うようにした構成を備えるものであることが認められる。
　そして、上記構成によれば、秘匿性の受信データが記憶媒体に記憶できないとき、その旨をオペレータに通知するので、オペレータが早期に記憶媒体を交換でき、秘匿性の受信データを記憶媒体に記憶できない状態が長引くことを防止でき、かつ、秘匿性の受信データでなければ、その記憶媒体への記憶ができないとき、記録紙への記録を行うので、ユーザが受信データの存在に気付かないことを防止できるという、訂正明細書記載のとおりの技術的効果（第１０頁最下行〜第１１頁８行参照）が得られると認めることができる。
（２）これに対し、前記第１回取消理由通知で引用した刊行物１（特開昭６０−２２３３７１号公報、異議申立の甲第２号証）には、受信データを着脱可能な記憶媒体（ＩＣカード）に記憶することが記載され（第３頁右上欄７〜１４行等参照）、刊行物２（特開昭５８−１１１１６８号公報、異議申立の甲第１号証）には、着脱可能なメモリにデータを記憶するに際し、メモリの装着とその容量を確認して記憶可能なときに記憶を行うことが記載され（第８図、その説明である第４頁右下欄１７行〜第５頁右上欄１３行等参照）、刊行物３（特開昭６０−５１３６５号公報、異議申立の甲第３号証）には、入力データを一旦記憶した後にそのデータ量を判定する判定手法（本件発明でいう第１判定手段による判定手法と類似のもの）が記載されている（第３頁右下欄７〜１７行、第４図、第５図参照）ことが認められるものの、これら刊行物１〜３には、そのいずれにも、受信データが秘匿性のものであるか否かで対応を異ならせる本件発明の上記構成やその技術的効果については全く記載がない。
　そうすると、上記構成を採用し、これにより上記技術的効果を奏する本件発明が上記刊行物１〜３の各記載内容もしくはそれらの組合せから容易に想到されるとすることはできない。
　また、他に本件発明が特許を受けることができないものであるとすべき理由は見出せない。
（３）したがって、本件発明が特許出願の際、独立して特許を受けることができないものであるとすることはできない。
４．まとめ
　以上のとおりであるから、本件で請求する訂正は、特許法第１２０条の４第２項、及び同条第３項で準用する同法第１２６条第２〜４項の規定に適合するものである。
ＩＩＩ　異議申立についての判断
　本件異議申立の理由は、訂正前の特許請求の範囲に係る発明について、同発明は上記刊行物１〜３に記載された発明から容易に想到し得たものであるから、同発明に係る特許は、特許法第２９条第２項の規定に違反しているとするものであるところ、この申立理由は、訂正後の特許請求の範囲に係る本件発明については、前記ＩＩ、３．で判断したとおり理由がないものである。
ＩＶ　むすび
　以上のとおり、本件において請求する訂正は適法なものであり、また訂正後の特許請求の範囲に係る発明の特許について、本件異議申立は理由がないものである。
　また、他に同特許を取り消すべき理由を発見しない。
　よって、結論のとおり決定する。
【異議決定日】
平成１１年９月２７日（１９９９．９．２７）
【訂正の要旨】
訂正の要旨
▲１▼訂正事項ａ
　特許請求の範囲１中の
「上記着脱可能な記憶媒体が装着されていることが上記検出手段により検出されたことと、上記識別手段の識別結果に基づいて、上記受信データが上記記憶媒体へ記憶できるならば、上記記憶手段に記憶された上記受信データを上記着脱可能な記憶媒体へ記憶する手段を有することを特徴とするデータ受信装置。」を特許請求の範囲の減縮を目的として、
「上記受信データを記憶媒体へ記憶できないことをオペレータに通知する通知手段、
　上記受信手段で受信されたデータを記録紙に記録する記録手段、
　上記受信手段で受信されたデータが秘匿性の受信データか否かを認識する認識手段、
　
上記受信手段による上記データの受信開始前に、予め上記受信データのデータ量を判定する第２判定手段、
　
上記着脱可能な記憶媒体が装着されているか否かを検出し、上記記憶媒体が装着されているとき、上記第２判定手段により判定された受信データのデータ量と上記着脱可能な記憶媒体に記憶できる容量とを比較し、その比較結果に基づいて、上記受信データが上記記憶媒体へ記憶できるか否かを識別する第２識別手段、
　上記認識手段により受信データが秘匿性の受信データであることが認識されたとき、上記着脱可能な記憶媒体が装着されていることが上記検出手段により検出されたことと、
上記第１識別手段
上記第２識別手段の識別結果に基づいて、上記着脱可能な記憶媒体が装着されていることが検出され、かつ、上記受信データが上記記憶媒体へ記憶できるならば、上記受信手段で受信された受信データを
　
さらに、「第２判定手段」との違いを明確にするため、明瞭でない記載の釈明を目的として、「上記受信手段による上記データの受信終了後、上記記憶手段に記憶された上記受信データのデータ量を判定する判定手段」を「上記受信手段による上記データの受信終了後、上記記憶手段に記憶された上記受信データのデータ量を判定する第１判定手段」とし、同じく「上記判定手段で判定された上記データ量と、上記検出手段で検出された上記残量とを比較し、その比較結果に基づいて上記受信データを上記記憶媒体へ記憶できるか否かを識別する識別手段」を「上記第１判定手段で判定された上記データ量と、上記検出手段で検出された上記残量とを比較し、その比較結果に基づいて上記受信データを上記記憶媒体へ記憶できるか否かを識別する第１識別手段」と訂正する。
　これにともない、特許請求の範囲の記載と発明の詳細な説明との整合を図るため、明瞭でない記載の釈明を目的として、
明細書第２頁第３行〜第４行の
「本発明はデータの通信を行う画像通信装置に関するものである。」を「本発明はデータの受信を行うデータ受信装置に関するものである。」と訂正し、
明細書第２頁第１６行〜第１９行の
「本発明は、上述した従来例に鑑みなされたものであり、受信データの保存と有効利用を図るために、着脱可能な記憶媒体を使用するとともに、着脱可能な記憶媒体へ受信データが記憶できるか否かを判定し、着脱可能な記憶媒体へ受信データを効率よく記憶させることができる装置を提供することを目的とする。」を
「本発明は、上述した従来例に鑑みなされたものであり、受信データの保存と有効利用を図るために、着脱可能な記憶媒体を使用するとともに、秘匿性の受信データであれば、着脱可能な記憶媒体へ受信データが記憶できるか否かを判定し、着脱可能な記憶媒体へ受信データを効率よく記憶させることができるとともに受信データを記憶媒体へ記憶できないときも、オペレータに受信データが記憶できないことを通知することにより、オペレータが早期に記憶媒体を交換でき、受信データを記憶媒体へ記憶できない状態が長引くことを防止でき、一方、秘匿性の受信データでなければ、受信データを記憶媒体へ記憶できないときに、受信データを記録紙に記録することにより、受信データが記憶されたまま出力されない状態が長引き、ユーザーが受信データの存在に気付かないことを防止できるデータ受信装置を提供することを目的とする。」
と訂正し、
明細書第１９頁第２行〜第７行の
「以上の様に本発明によれば、着脱可能な記憶媒体へ受信データを記憶するので、記憶媒体を交換でき、記憶媒体に記憶された受信データを長期保存できるとともに、受信データが記憶された記憶媒体を他の装置で利用すれば、受信データの有効利用が図れる。
　また、着脱可能な記憶媒体の有無を検出し、着脱可能な記憶媒体が装着されているときに、着脱可能な記憶媒体の記憶容量の残量を検出し、受信手段によるデータの受信終了後に判定した受信データのデータ量と着脱可能な記憶媒体の記憶容量の残量との比較結果から受信データを記憶できるか否かを識別し、着脱可能な記憶媒体が装着されていることと、識別結果に基づいて、受信データが着脱可能な記憶媒体へ記憶できるならば、受信データを着脱可能な記憶媒体へ記憶するので、記憶媒体への受信データの記憶を無条件に開始し、その後、記憶媒体の記憶容量の残量がなくなり受信データが記憶媒体へ記憶できなくなった時点で記憶を中止するものに比べ、効率良く着脱可能な記憶媒体へ受信データを記憶することができる。」を
　「以上の様に本発明によれば、着脱可能な記憶媒体へ受信データを記憶するので、記憶媒体を交換でき、記憶媒体に記憶された受信データを長期保存できるとともに、受信データが記憶された記憶媒体を他の装置で利用すれば、受信データの有効利用が図れる。
　また、
秘匿性の受信データであれば、
　
さらに、
　また、
秘匿性の受信データでなけれは、受信データを記憶媒体へ記憶できないときに
と訂正する。
（５４）【発明の名称】
データ受信装置
（５７）【特許請求の範囲】
（１）データを受信するための受信手段、
上記受信手段で受信されたデータを記憶する記憶手段、
　上記受信手段による上記データの受信終了後、上記記憶手段に記憶された上記受信データのデータ量を判定する
第１判定手段、
　着脱可能な記憶媒体、
　上記着脱可能な記憶媒体が装着されているか否かを検出し、上記記憶媒体が装着されているとき、上記着脱可能な記憶媒体の記憶容量の残量を検出する検出手段、
　上記
第１判定手段
　
上記受信データを記憶媒体へ記憶できないことをオペレータに通知する通知手段、
　
上記受信手段で受信されたデータを記録紙に記録する記録手段、
　
上記受信手段で受信されたデータが秘匿性の受信データか否かを認識する認識手段、
　
上記受信手段による上記データの受信開始前に、予め上記受信データのデータ量を判定する第２判定手段、
　
上記着脱可能な記憶媒体が装着されているか否かを検出し、上記記憶媒体が装着されているとき、上記第２判定手段により判定された受信データのデータ量と上記着脱可能な記憶媒体に記憶できる容量とを比較し、その比較結果に基づいて、上記受信データが上記記憶媒体へ記憶できるか否かを識別する第２識別手段、
　
上記認識手段により受信データが秘匿性の受信データであることが認識されたとき
し、上記受信データが上記記憶媒体へ記憶できないならば、上記通知手段に上記通知を行わせ、一方、上記認識手段により受信データが秘匿性の受信データではないことが認識されたとき、上記第２識別手段の識別結果に基づいて、上記着脱可能な記憶媒体が装着されていることが検出され、かつ、上記受信データが上記記憶媒体へ記憶できるならば、上記受信手段で受信された受信データを上記着脱可能な記憶媒体へ記憶し、上記受信データが上記記憶媒体へ記憶できないならば、上記記録手段に受信データの記録を行わせる
【発明の詳細な説明】
［技術分野］
　本発明はデータの受信を行うデータ受信装置に関するものである。
［従来技術］
　従来、この種の装置、例えばフアクシミリ装置においては記録容量の少ない磁気カードを用いて通信枚数や通信料金の管理を行っている。又、宛先番号をカードに記録しておき、自動的にダイヤルするのに用いたり、ＩＤ（認識データ）パスワードをカードに記録して使用者を限定する様な用途に磁気カードを使用している。
　しかしながら、近年記憶容量の多いＩＣカードが開発され、その用途は広がりつつある。
［目的］
　本発明は、上述した従来例に鑑みなされたものであり、受信データの保存と有効利用を図るために、着脱可能な記憶媒体を使用するとともに、
秘匿性の受信データであれば、
とともに受信データを記憶媒体へ記憶できないときも、オペレータに受信データが記憶できないことを通知することにより、オペレータが早期に記憶媒体を交換でき、受信データを記憶媒体へ記憶できない状態が長引くことを防止でき、一方、秘匿性の受信データでなければ、受信データを記憶媒体へ記憶できないときに、受信データを記録紙に記録することにより、受信データが記憶されたまま出力されない状態が長引き、ユーザーが受信データの存在に気付かないことを防止できる
［実施例］
　以下図面を参照して本発明の一実施例を詳細に説明する。
　第１図は本実施例の全体構成を示したブロツク図である。
　第１図において１０は画像の読取りを行う読取部であり、ＣＣＤラインセンサ等により構成されている。
　２０は画像信号処理部であり、画像データの２値化及びランレングス符号化を行う。画像信号処理部２０は２値化回路及びランレングスエンコーダ等により構成されている。
　３０は画像データを記録紙上に記録する記録部であり、プリンタ等により構成されている。
　４０は記録処理部であり、ランレングス符号化されている画像データの復号化等の処理を行う。
　５０はフアクシミリ装置の操作入力を行う為の操作表示部であり、複数のキー入力スイッチ及び液晶等の表示器より構成されている。
　６０は、フアクシミリ装置全体の制御を行う主制御部である。主制御部６０はシステム制御回路、伝送制御回路、制御用プログラムＲＯＭ、バツテリバツクアツプメモリより構成されている。各制御回路はマイクロコンピユータにより構成されている。
　７０は画像データを記憶するメモリである。
　８０は文字コードを展開する為のキヤラクタジエネレータである。
　９０は画像データの変調及び復調を行うモデルである。
　１００は回線１５０にダイヤルパルスを送出するダイヤルパルス発生器である。
　１１０は回線１５０を電話器１２０側或いはモデム９０側に接続する為の網制御装置（ＮＣＵ）である。
　１３０は電源回路であり、フアクシミリ装置の各部に電源電圧を供給する。
　１４０はＩＣカードからのデータの読取り、又はＩＣカードヘのデータの書き込みを行うカードユニツトである。
　第２図は操作表示部５０の操作パネルを示した図である。
　操作表示部５０は、複数のフアンクシヨンキー５０−１、テンキー５０−２、ワンタツチキー５０−３、ストツプ／クリアキー５０−４、表示器５０−５より構成されている。
　以上の様に構成されたフアクシミリ装置において操作表示部５０によってカードユニツトを使用する。
　第３図（ａ），（ｂ），（ｃ）はカードユニツトを使用する場合の主制御部６０の制御動作を示したフローチヤート図である。
　第３図（ａ）のステツプＳ１においてフアンクションキー（第２図参照）がオンされたかどうかを判断し、フアンクシヨンキーがオンされるとステツプＳ２で「コウモクキーヲオシテクダサイ」等の指示表示を操作表示部５０の表示器５０−５に表示させる。
　ステツプＳ３においてエクストラキー（第２図参照）がオンかどうかを判断し、エキストラキーがオンであれはステツプＳ４で「ＩＤＩＮＰＵＴ」の表示を行わせる。ステツプＳ５でテンキー５０−２及びワンタツチキー５０−３により入力されたＩＤデータをメモリに格納しステツプＳ６でスタートキーがオンされるとステツプＳ７に進む。
　ステツプＳ７において「パスワートＩＮＰＵＴ」の表示を行わせ、ステツプＳ８でテンキー５０−２及びワンタツチキー５０−３により入力されたパスワードのデータをメモリに格納しステツプＳ９でスタートキーのオンを確認するとステツプＳｌ０に進む。
　ステツプＳ４〜Ｓ６，ステツプＳ７〜Ｓ９でＩＤとパスワードの入力を行うのは、２種類の暗証コードを組み合わせることによって暗証コード番号の数を増やすことができる為である。ステツプＳ９でスタートキーのオンを確認するとステツプＳ１０において「カードヲイレテクダサイ」の表示を表示器５０−５に表示させる。
　次にステツプＳ１１で入力されたＩＤ及びパスワードとカードの番号を証号して証号結果が正しければステツプＳ１３に進み、証号結果が違っていればステツプＳ１２で「ヤリナオシテクダサイ」の表示を行ってステツプＳ１に戻る。
　ステツプＳ１１からステツプＳ１３に進むと「ＲＥＡＤ＊ＷＲＩＴＥ＃」の表示を表示器５０−５に行わせ、ステツプＳ１４で「＊」キー（第２図参照）がオンされたと判断するとＲＥＡＤルーチンへ移行し、「＊」キーがオンされていなければＷＲＩＴＥルーチンへ移行する。
　第３図（ｂ）はＲＥＡＤルーチンを示した図である。ＲＥＡＤルーチンはカードからデータを読み出しプリントアウト或いはデータ通信を行うルーチンである。
ステツプＲ１においてカードユニツト１４０に読み出し命令信号を出力しカードユニツト１４０によりカードからデータを読み出し、読み出したデータをステツプＲ２でメモリに格納する。
　ステツプＲ３においてスタートキーがオンされているかどうかを判別することによりデータの送信を行うかどうかを判断し、データ送信であればステツプＲ８に進み、データ送信でなければステツプＲ４に進む。
　ステツプＲ４においてレポートキー（第２図参照）のオンを確認するとステツプＲ５，Ｒ６，Ｒ７でメモリに格納されているデータが文字コートデータであればキヤラクタジエネレータ８０により画素データに展開し画像メモリ７０に一旦格納した跡に記録処理部４０、記録部３０により記録紙上にデータを記録する。
　ステツプＲ３からステツプＲ８に進み、送信先との通信回線の接続が行われ、送信先と回線がつながるとステツプＲ９に進む。
　ステツプＲ９においてフアクシミリ通信手順（プロトコル）を行う。このフアクシミリ通信手順はＣＣＩＴＴの勧告に従って行われるが、この通信手順において相手装置の持つ機能に関する情報の交換が行われる。この情報に従ってステツプＲ１０において文字コードの通信が可能であるかどうかの判断を行い、文字コードの通信が可能であれはステツプＲ１１，Ｒ１２てメモリに格納されているデータを送信する。
　ステツプＲ１０において文字コード通信が不可であれはステツプＲ１３に進み、メモリに格納されているデータをキヤラクタジエネレータ８０によって画素データに展開して画像メモリ７０に一旦格納する。そしてステツプＲ１４で画像メモリ７０の画像データをＭＨ（モデイフアイドハフマン），ＭＲ（モデイフアイドリード）等の符号化を行いステツプＲ１５，Ｒ１６で送信する。
　以上のＲＥＡＤルーチンによりカードのデータは記録部３０によりプリントアウトされるか、送信されることになる。
　第３図（ｃ）はＷＲＩＴＥルーチンを示した図である。
　第３図（ｃ）のステツプＷ１において「年月／日時刻」の表示を表示器５０−５に行わせる。
　ステツプＷ２においてテンキー５０−２によって入力された年月日、時刻のデータをメモリに格納しステツプＷ３でスタートキーがオンされるとステツプＷ４に進む。
　ステツプＷ４において「バシヨヲ　ＩＮＰＵＴ」の表示を表示器５０−５に行わせ、ステツプＷ５でワンタッチキー５０−３により入力された場所のデータをメモリに格納してステツプＷ６でスタートキーのオンを確認するとステツプＷ７に進む。
　ステツプＷ７において「アイテシメイ　ＩＮＰＵＴ」の表示を表示器５０−５に表示させ、ステツプＷ８でワンタツチキー５０−３により入力された相手氏名及び相手電話番号のデータをメモリに格納してステツプＷ９でスタートキーオンを確認するとステツプＷ１０に進む。
　ステツプＷ１０においてフアクシヨンキー（第２図参照）のオンを確認するとステツプＷ１１に進み、フアンクシヨンキーがオンされなければステツプＷ１に戻って再びデータのキー入力を行う。
　ステツプＷ１０からステツプＷ１１に進むとステツプＷ１１，Ｗ１２においてメモリに格納された上述の各データをカードユニツト１４０に出力しカードユニツト１４０に挿着されているカードにデータの書き込みを行う。
　第４図は第３図（ｃ）により書き込まれたデータ例を示した図であるが、カードヘのデータの書き込みは第３図（ｃ）のＷＲＩＴＥルーチンに限るものではなく、通常の文字コードの文章及び読取り部１０により読み取られた画像データ、又は文字コードと画像データの混在したデータでもよい。但し画像データはＭＨ，ＭＲ等の符号化を行いデータを圧縮してカードに書き込む。又、文字コードと画像データが混在する場合はデータの前に文字コードと画像データの識別コードを付加してカードに書き込む。又、第３図（ｂ）で説明したデータの送信の場合も同様に送信先の装置が文字コードと画像データの混在したデータを受信する機能を持っていればカードから読み出したデータをそのまま送信して、相手装置が混在データの受信機能を持っていなければ一旦データを全て画像データに変換した後に送信する。
　以上の様にカードのデータをフアクシミリ装置の操作表示部によって書き換えることが出来る。
　又、カードのデータをフアクシミリ装置の記録部３０にプリントアウトすることができる。
　又、カードのデータを文字コードデータ或いは画像データとして相手装置に送信することが出来る。
　次に送信されて来たデータをカードに記録する場合について説明する。
　第５図は受信データをカードに書き込む場合のフローチヤート図である。
　第５図のステツプＮ１において回線からの呼び出し信号を確認するとステツプＮ２においてフアクシミリ通信手順（プロトコル）のやりとりを行う。このプロトコル中で交換される通信モードに関する情報によって通信モードが決定されるわけである。この通信モードに関する情報によって親展モードが選択されているかどうかの判断を行い送信側（この場合は相手装置）が親展モードを希望していたらステツプＮ４に進み、親展モードが希望されていなければステツプＮ１９に進む。
　親展モードの場合ステツプＮ４において親展であることを表示器５０−５に表示させ（例えば「親展受信」等）、ステツプＮ５，Ｎ６，Ｎ７において画像データの受信と受信した画像データを画像メモリ７０に格納する。この場合画像メモリ７０に格納された画像データはＭＨ、或いはＭＲ等の符号化されたデータである。
　親展受信の場合、画像データの前に親展であることを示すコードと親展の相手を示すコード（暗証コード）と親展相手の名称のデータ及び送信元の名称・電話番号等の情報が付加される。
　ステツプＮ８において親展相手の名称データを表示器５０−５に表示させて、受信側のオペレータに誰に対する親展データであるのかを知らせる。
　ここでオペレータは表示器５０−５に表示された相手の名称に対応したカードをカードユニツト１４０に挿着する。するとステツプＮ９からステツプＮ１１に進んでカードユニツト１４０に挿着されたカードに暗証コードがセツトされているかどうかを判断する。これによってカードに暗証コードがセットされているとステツプＮ１１に進んで、カードに暗証コードがセットされていなければステツプＮ１６に進みカードに親展の暗証コードをセットして親展の暗証コードを入力しないとカードからデータの読み出しが出来ない様にする。
　次にステツプＮ１７，Ｎ１８において画像メモリに格納されているデータをカードに書き込む。
　カードに暗証コードがセットされていると判断しステツプＮ１０からステツプＮ１１に進むとカードから暗証コードを読み出して親展の暗証コードと比較し、ステツプＮ１２で比較結果が一致するとステツプＮ１３に進み、不一致であればステツプＮ８に戻ってカードの挿着を再びオペレータに行わせる。
　ステツプＮ１２からステツプＮ１３に進むとカードの残りの記憶容量と受信したデータの容量を比較してカードに書き込み可能であればステツプＮ１４，Ｎ１５においてカードにデータを書き込む。又、ステツプＮ１３において記憶不可能であればステツプＮ２７に進み、カードの容量が少なく書き込み不可能であることを示す表示、例えば「容量少」等の表示を行いステツプＮ２８で進展の相手の名称データを記録部３０によりプリントアウトする。
　又、ステツプＮ３で親展モードが希望されていなけれはステツプＮ１９に進み、カードユニツト１４０にカードが挿着されているかどうかを判断して、カードが挿着されていればステツプＮ２０に進み、カードが挿着されていなければステツプＮ２４に進む。
　ここでカードが挿着されているとカードに受信データを書き込むわけであるが、ステツプＮ２１においてステツプＮ２で行ったプロトコルにより受信する原稿枚数とカードに記録出来る容量を比較して記録可能であればステツプＮ２１，Ｎ２２，Ｎ２３においてデータを受信してカードユニツト１４０によりカードに受信データを書き込む。
　ステツプＮ１９でカードユニツット１４０にカードが挿着されていない、或いはステツプＮ２０で記録不可であるとステツプＮ２４，Ｎ２５，Ｎ２６でデータを受信して記録部３０によってプリントアウトする。
　カードにデータを書き込む場合、受信データはＭＨ或いはＭＲ等の符号化されたままのデータで格納される。これはカードに記憶されるデータ量をなるべく少なくしてより多くの原稿データを入力可能にする為である。
　第５図の説明で述べた様にあらかじめ各個人用のカードをつくり、それぞれのカードに各個人に対応する暗証コードをセットしておけばオペレータは親展相手名称の表示に従ってその人のカードをカードユニツト１４０に挿着すればよい。これによりカードに親展データが書き込まれる。
　親展相手専用のカードに親展データを書き込むので親展データを手早く親展相手に届けることが出来る。
　又、今まで親展の場合、親展相手によって暗証コードが入力されメモリに格納されていた親展データがアウトプツトされるまで、メモリ中の親展データを保存しておかなければならなかったが、カードに親展データを書き込むことによりフアクシミリ装置のメモリを常に有効に使用することが可能になる。なお、親展の場合はカードに限らず、例えば暗証コードをセツトしたフロツピーデイスク、或いは着脱可能なＲＯＭ等の記憶媒体であれはよい。
　又、通常のデータ受信においてもデータの読出し、書き込み可能なカードに受信データを書き込むことによって記録紙を節約することが出来るとともにデータの保存、管理において多大な効果がある。
　以上の実施例ではデータの書き込み、読出し可能なカードとしてＩＣカードを例に説明したが、近年光学的に情報の記録又は再生が可能な光学的記憶媒体を有したカードである光カードが提供されつつあり、この光カードはＩＣカードに比べると記憶容量が多い。この光カードを本実施例に用いることによって記録可能なデータ量を多くすることが出来る。
　又、本実施例ではフアクシミリ装置を例に説明したがフアクシミリ装置に限らず文字コードデータの通信を行うテレツクス等のデータ通信装置には全て実施することができる。但しテレツクス等の場合にはカードに書き込まれるデータは全て文字コードデータである。
［効果］
　以上の様に本発明によれば、着脱可能な記憶媒体へ受信データを記憶するので、記憶媒体を交換でき、記憶媒体に記憶された受信データを長期保存できるとともに、受信データが記憶された記憶媒体を他の装置で利用すれば、受信データの有効利用が図れる。
　また、
秘匿性の受信データであれば、
　
さらに、秘匿性の受信データであれば、受信データを記憶媒体へ記憶できない状態が長引けば、新たに秘匿性のデータを受信するにつれ、記憶媒体へ記憶できない受信データが記憶手段内に蓄積されていくこととなり、結果的には、新たな秘匿性のデータを受信できなくなる。しかし、本願発明によれは、秘匿性の受信データであるとき、受信データを記憶媒体へ記憶できないときも、受信データを記憶媒体へ記憶できないことをオペレータに通知することにより、オペレータが早期に記憶媒体を交換でき、秘匿性の受信データを記憶媒体へ記憶できない状態が長引くことを防止できる。
　
また、秘匿性の受信データでなければ、受信データを記憶媒体へ記憶できないときに受信データを記録紙に記録することにより、受信データが記憶されたまま出力されない状態が長引き、ユーザーが受信データの存在に気付かないことを防止できる。
【図面の簡単な説明】
第１図は本実施例の全体構成を示したブロツク図である。
第２図は操作表示部５０を示した図である。
第３図（ａ）はカードユニツトルーチンを示したフローチヤート図である。
第３図（ｂ）はＲＥＡＤルーチンを示したフローチヤート図である。
第３図（ｃ）はＷＲＩＴＥルーチンを示したフローチヤート図である。
第４図はカードからのデータの出力例を示した図である。
第５図はカード受信のフローチヤート図である。
１０は読取部、３０は記録部、５０は操作表示部、６０は主制御部、７０は画像メモリ、８０はキヤラクタジエネレータ、９０はモデム、１１０はＮＣＵ、１４０はカードユニツトである。